(57)【要約】【課題】本発明は、刈り草の丈や生え密度等の刈り草の状態に応じて良好に草刈りを行える刈草装置２０を提供することにある。【解決手段】内部に上下向き軸芯まわりで駆動回転自在な刈り刃２６を備えた刈り刃ハウジング２１に、刈取った刈り草を排出する刈り草排出口２９を備えるとともに、刈り刃ハウジング２１の天板２１ａに複数の空気取り入れ口２１ｄを備え、天板２１ａから上方に間隔を隔てて複数の空気取り入れ口２１ｄを覆うカバー５８を設けたものである。【選択図】図５
2010161972.tif 000002
【特許請求の範囲】
【請求項１】
刈り刃ハウジングの内部に上下向き軸芯まわりで駆動回転自在な刈り刃を備え、前記刈り刃ハウジングに前記刈り刃で刈取った刈り草を排出する刈り草排出口を備えるとともに、前記刈り刃ハウジングの天板に複数の空気取り入れ口を備え、前記天板から上方に間隔を隔てて前記複数の空気取り入れ口を覆うカバーを設けてある草刈装置。
【請求項２】
前記空気取り入れ口の開度を調節する開度調節具を備えてある請求項１記載の草刈装置。
【請求項３】
前記複数の空気取り入れ口を、前記刈り刃ハウジングの天板における前記上下向き軸芯を中心とした円周方向に形成し、前記開度調節具には、前記上下向き軸芯まわりに回転して前記空気取り入れ口を閉状態から開状態に開度調節を行うための前記空気取り入れ口と連通する連通孔を形成した開度調節板と、前記開度調節板を固定する固定金具と、前記開度調節板を操作する操作部を備えてある請求項２記載の草刈装置。
【請求項４】
前記カバーを、そのカバー面を前記開度調整板から間隔を隔てて前記連通孔の上方に配設した状態で前記開度調節板に取り付けてある請求項３記載の草刈装置。
【発明の詳細な説明】
【技術分野】
【０００１】
本発明は、刈り刃ハウジングの内部に上下向き軸芯まわりで駆動回転自在な刈り刃を備えている草刈装置に関する。
【背景技術】
【０００２】
特許文献１には、刈り刃ハウジング（モアデッキ１０）の内部に上下向き軸芯（カッター駆動軸１２ｐ）まわりで駆動回転自在な刈り刃（カッター９）を備え、刈り刃ハウジング１０に、空気取り入れ口２４と、刈り刃９で刈取った刈り草を排出する刈り草排出口（シュータ３１との接続部）とを備えた草刈装置が示されている。又、刈り刃ハウジング１０の天板には上下向き軸芯（カッター駆動軸１２ｐ）を中心とした円周方向に複数（３箇所）の空気取り入れ口を形成した構成が示されている。
【０００３】
特許文献２には、刈り刃ハウジング（デッキカバー２）の内部に上下向き軸芯まわりで駆動回転自在な刈り刃（ロータリーブレード１）を備え、刈り刃ハウジング２に、空気取入孔２ｄと、刈り刃１で刈取った刈り草を排出する刈り草排出口２ｃとを備えた草刈装置が示されている。空気取入孔２ｄには網材カバー６が施されている。
【先行技術文献】
【特許文献】
【０００４】
【特許文献１】特開２００５−３２３５４９号公報
【特許文献２】特開平９−９７５７号公報
【発明の概要】
【発明が解決しようとする課題】
【０００５】
前者の刈草装置の刈り刃ハウジングに形成された空気取り入れ口は、単に３個の大きな開口が開設されているだけであるから、このものでは、不測に異物（例えば小石等）が浸入して刈り刃を破損させる虞があり、又、草の状態に応じた対応ができない。
後者の刈草装置の刈り刃ハウジングに形成された空気取り入れ口には網材のカバーが施されているが、網材では刈り草による目詰まりが生じ易い。
【０００６】
本発明は、刈り刃ハウジング内に十分な空気を吸入させることができ、又、草の丈や生え密度等の草の状態に応じて良好に草刈りを行える刈草装置を提供することを目的とする。
【課題を解決するための手段】
【０００７】
〔第１発明の構成〕
第１発明の草刈装置は、刈り刃ハウジングの内部に上下向き軸芯まわりで駆動回転自在な刈り刃を備え、刈り刃ハウジングに刈り刃で刈取った刈り草を排出する刈り草排出口を備えるとともに、刈り刃ハウジングの天板に複数の空気取り入れ口を備え、天板から上方に間隔を隔てて複数の空気取り入れ口を覆うカバーを設けてある。
【０００８】
〔第１発明の作用〕
第１発明によると、刈り刃ハウジングの天板に複数の空気取り入れ口を備え、天板から上方に間隔を隔てて複数の空気取り入れ口を覆うカバーを設けてあるので、空気取り入れ口から異物が浸入することを防止できる。
空気取り入れ口と上方のカバーとの間に横向きの比較的大きな開口が形成され、この開口を刈り草等が詰まることなく通過するのであり、カバーで空気取り入れ口からの空気の吸入を妨げることなく、十分な空気を吸入させることができる。
【０００９】
〔第１発明の効果〕
したがって、刈り刃を異物で破損させることもなく、十分な空気を刈り刃ハウジング内に取り入れて刈取った刈り草を良好に放出し、良好な草刈り作業を行うことができる。
【００１０】
〔第２発明の構成〕
第２発明は、第１発明の構成において、空気取り入れ口の開度を調節する開度調節具を備えている。
【００１１】
〔第２発明の作用効果〕
第２発明によると、草の丈や生え密度等の状態に応じて空気取り入れ口の開度を調節できるので、好適な草刈り作業を行うことができる。
【００１２】
〔第３発明の構成〕
第３発明は、第２発明の構成において、複数の空気取り入れ口を、刈り刃ハウジングの天板における上下向き軸芯を中心とした円周方向に形成し、開度調節具には、上下向き軸芯まわりに回転して空気取り入れ口を閉状態から開状態に開度調節を行うための空気取り入れ口と連通する連通孔を形成した開度調節板と、開度調節板を固定する固定金具と、開度調節板を操作する操作部を備えてある。
【００１３】
〔第３発明の作用効果〕
第３発明によれば、操作部を操作することにより、開度調節板を前記上下向き軸芯まわりに回転させて、連通孔と空気取り入れ口とが連通する開口の大きさ（開度）を調節でき、簡単に開度を調節することができる。
【００１４】
〔第４発明の構成〕
第４発明は、第３発明の構成において、カバーを、そのカバー面を開度調整板から間隔を隔てて連通孔の上方に配設した状態で開度調節板に取り付けてある。
【００１５】
〔第４発明の作用効果〕
カバーが開度調節板と一体に動くので、カバーを開度調節板よりも大きなものに形成しなくても、カバーにより連通孔の上を覆うだけで、連通孔と連通する開口された空気取り入れ口の上方をカバーにより覆うことができ、カバーを小型化できるに至った。
【図面の簡単な説明】
【００１６】
【図１】乗用型草刈機の全体側面図である。
【図２】エンジンの出力プーリから入力される入力プーリの軸の支持構造を示す側面図である。
【図３】エンジンの出力プーリから入力される入力プーリの軸の支持構造を示す正面図である。
【図４】エンジンのゴムマウントによる支持構造を示す部分正面図である。
【図５】草刈装置を示す平面図である。
【図６】草刈装置の一部縦断側面図である。
【図７】草刈装置の一部横断平面図である。
【図８】草刈装置のダクト上部構成体を示す斜視図である。
【図９】刈草装置のダクト上部構成体の押し下げ状態を示す一部縦断側面図である。
【図１０】開度調節具による空気取り入れ口の開状態を示す平面図である。
【図１１】開度調節具を示す分解斜視図である。
【図１２】図１０のＸ−Ｘ矢視図である。
【図１３】開度調節具による空気取り入れ口の閉状態を示す平面図である。
【発明を実施するための形態】
【００１７】
以下、本発明の実施形態を図面に基づいて説明する。
図１は、草刈装置２０が装備された乗用型草刈機の全体側面図である。この図に示すように、この乗用型草刈機は、左右一対の操向操作自在な前車輪１，１と左右一対の駆動自在な後車輪２，２とによって自走するよう構成され、かつ車体後部に設けた運転座席３が装備された運転部を有した乗用型の自走車と、この自走車の車体フレーム４の前後輪間にリンク機構１０を介して連結された草刈装置２０と、車体フレーム４の後部に支持フレーム３１を介して連結された集草容器３２を有した刈草回収装置３０とを備えている。
【００１８】
この乗用型草刈機は、芝や草を刈り込む草刈り作業を行う。
すなわち、自走車は、車体フレーム４の前部に設けたエンジン５の下方に、動力取り出し軸４３を設けている。エンジン５の出力は、伝動ベルト４２を介して入力軸４１に入力され、入力軸４１の出力端に伝動された動力取り出し軸４３の駆動力は、回転軸４６を介して草刈装置２０の刈り刃駆動機構２２に伝達される。
【００１９】
図２、図３に示すように、図外の操作具によって、テンションローラ４７を伝動ベルト４２に圧接するクラッチ入り状態と伝動ベルト４２に対する圧接を緩める（又は離す）クラッチ切り状態とに切り換えるテンションクラッチ４８を備えている。
【００２０】
エンジン５は、図２〜図４に示されているように、車体フレーム４にゴム７を介してゴムマウントの状態で支持されている。これによって車体フレーム４へのエンジン５の振動の伝播を緩和するようにしてある。
【００２１】
前記テンションローラ４７を支持するテンションアーム４９はエンジン５側の支持部材６４に支持されている。エンジン５側の支持部材６３にバネ支持部材６６を固設し、バネ支持部材６６に設けたバネ取付ピース６７を固定し、バネ取付ピース６７とテンションアーム４９とに亘って２つのテンションバネ６８，６８を張設してある。又、エンジン５の出力プーリ１６から伝動ベルト４２を介して伝動される入力プーリ１７の軸（前記入力軸４１）を支承するボス部１８もエンジン５側の支持部材６５に支持されている。これによって、テンションローラ４７、テンションアーム４９及びテンションバネ６８から成るテンション機構６９と、入力プーリ１７、出力プーリ１６並びにエンジン５は、すべてエンジン５と一体的に動くように支持されているので、振動が生じても、出力プーリ１６と入力プーリ１７との間の軸間距離は変わらない。従って、エンジン５が伝動ベルト４２に引っ張られることがなく、又、エンジン５の振動でベルト４２の張力が変動することもなく、所定の出力が伝達される。
【００２２】
前記リンク機構１０は、車体フレーム４に上下揺動自在に支持された左右一対の前揺動リンク１１，１１と、車体フレーム４に上下揺動自在に支持された左右一対の後揺動リンク１２，１２と、左右一対の連動リンク１３，１３とを備えている。
【００２３】
前記左右一対の前揺動リンク１１，１１の先端部は、草刈装置２０の刈り刃ハウジング２１の前部に位置する前連結部材２３に連結されている。左右一対の後揺動リンク１２，１２の先端部は、刈り刃ハウジング２１の後部に位置する後連結部材２４に連結されている。左側の連動リンク１３は、左側の前揺動リンク１１と後揺動リンク１２とを連動させ、右側の連動リンク１３は、右側の前揺動リンク１１と後揺動リンク１２とを連動させている。左右一対の前揺動リンク１１，１１の一方にリフトシリンダ１５が連動されている。
【００２４】
つまり、前記リンク機構１０は、リフトシリンダ１５によって一方の前揺動リンク１１が揺動操作されると、左右一対の前揺動リンク１１，１１が回転支軸１４による連動のために一体に揺動することによって車体フレーム４に対して上下に揺動操作され、草刈装置２０を刈り刃ハウジング２１の前後側に支持された接地ゲージ輪２５が地面に接地した下降作業状態と、各接地ゲージ輪２５が地面から上昇した上昇非作業状態とに昇降操作する。
【００２５】
前記草刈装置２０を下降作業状態にして自走車を走行させると、草刈装置２０は、刈り刃ハウジング２１の内部に刈り刃ハウジング横方向に並んで位置する二枚の刈り刃２６を刈り刃駆動機構２２によって上下向きの軸芯まわりに回転駆動して各刈り刃２６によって草刈りを行い、刈り草を刈り刃２６の回転によって発生した風によって刈り刃ハウジング２１の上部に位置する刈り草排出ダクト２７から車体後方上方向きに排出する。
【００２６】
前記刈り草排出ダクト２７から排出された刈り草は、刈り刃２６からの風による搬送作用と、自走車に左右一対の後車輪２，２の間を車体前後方向に通して設けてある搬送ダクト６による案内作用とによって集草容器３２に送り込まれ、この集草容器３２によって回収されて貯留される。
【００２７】
前記刈草回収装置３０は、支持フレーム３１と集草容器３２とを連結するリンク機構３３を昇降シリンダ３４によって支持フレーム３１に対して上下に揺動操作し、これによって集草容器３２を下降集草位置と上昇排出位置とに昇降操作する。
【００２８】
次に、草刈装置２０について図５〜図１３に基づいてさらに詳述する。
図５〜図７に示すように、前記刈り刃ハウジング２１は、天板２１ａとこの天板２１ａの周縁部に連設された側板２１ｂとによって刈り刃ハウジング２１の内部に左右横方向に並べて形成された一対の刈り室２８，２８と、天板２１ａに切り欠き孔を設けて形成した刈り草排出口２９とを備えている。天板２１ａには、刈り刃ハウジング２１内に空気を取り入れる空気取り入れ口２１ｄを開設している。
【００２９】
前記一対の刈り室２８，２８は、刈り刃ハウジング２１の下端側で地面に向かって開口し、かつ刈り刃ハウジング２１の横幅方向での中央部に位置する箇所で互いに隣り合って連通し合っている。刈り草排出口２９は、一対の刈り室２８，２８が隣り合った部位の上方に位置して各刈り室２８に連通している。
【００３０】
前記二つの刈り刃２６，２６は、各刈り室２８に一つずつ位置する配置で備えられている。各刈り刃２６は、刈り刃ハウジング２１の天板２１ａを貫通した回転支軸２６ａに一体回転自在に支持されおり、回転支軸２６ａが備える上下向き軸芯まわりに刈り刃駆動機構２２によって回転駆動される。
【００３１】
前記刈り刃駆動機構２２は、回転軸４６に連動された入力軸２２ａの駆動力をベベルギヤ２２ｂと平歯車２２ｃとを利用して各回転支軸２６ａに伝達する。
【００３２】
前記刈り草排出ダクト２７は、刈り刃ハウジング２１に刈り草排出口２９の両横側で板金を付設して設けたダクト下部構成体５０と刈り刃ハウジング２１の前端部に設けた左右一対の支持部２１ｃ、２１ｃに枢支ピン５１を介して連結部５２ａが連結されたダクト上部構成体５２とを備えて構成してある。左右一対のダクト下部構成体５０，５０は、両ダクト下部構成体５０，５０の後端側の下部どうしにわたって連結した後部ガイド板５３を備えている。
【００３３】
図８は、ダクト上部構成体５２の斜視図である。この図に示すように、ダクト上部構成体５２は、左右一対の横側板５２ｂ、５２ｂと、左右一対の横側板５２ｂ、５２ｂの上端部に連なる天板５２ｃとを備えている。
【００３４】
つまり、前記刈り草排出ダクト２７は、左右一対のダクト下部構成体５０，５０によって刈り草排出ダクト２７の左または右側の横側板の下部を構成し、ダクト上部構成体５２によって刈り草排出ダクト２７の左右の横側板の上部と天板５２ｃとを構成し、刈り草排出口２９からの刈り草をダクト下部構成体５０とダクト上部構成体５２とによって刈り刃ハウジング２１の後方上方向きに流動案内して搬送ダクト６に供給する。
【００３５】
前記ダクト上部構成体５２は、左右一対の枢支ピン５１，５１の軸芯で成る左右横向きの昇降軸芯まわりに刈り刃ハウジング２１に対して上下揺動する。刈り刃ハウジング２１は、ダクト上部構成体５２の両横側で天板２１ａに固着して立設したロッド形のバネホルダー５５と、各バネホルダー５５に支持させたコイルバネで成る上昇操作バネ５６とを備えている。前記各上昇操作バネ５６は、バネホルダー５５に摺動自在に外嵌するよう構成してダクト上部構成体５２の横側板５２ｂに設けたバネ受け体５７（図８参照）に作用してダクト上部構成体５２を枢支ピン５１の軸芯まわりに上昇付勢する。
つまり、刈り草排出ダクト２７は、草刈装置２０の自走車体に対する昇降による刈り刃ハウジング２１と搬送ダクト６との上下間隔の変化にかかわらず、ダクト上部構成体５２の上昇操作バネ５６による上昇付勢によってダクト上部構成体５２の後端側が搬送ダクト６の内面に当接した状態に維持され、刈り草排出口２９からの刈り草を刈り草排出ダクト２７と搬送ダクト６との間から漏れ出ないようにして搬送ダクト６に供給する。
【００３６】
図９に示すように、左側のダクト下部構成体５０の外側面には、支点軸６１まわりで回動できるフック状のロック金具６２を取り付けてあり、ダクト上部構成体５２を押し下げて、ロック金具６２をバネ受け体５７に係止することによって、ダクト上部構成体５２の天板５２ｃが下降した姿勢に維持できるようになっている。これによって、ダクト上部構成体５２が搬送ダクト６と干渉せずに取り出すことができる。
【００３７】
前記ダクト上部構成体５２は、左右一対の枢支ピン５１，５１を支持部２１ｃに対して脱着操作し、左右一対のバネ受け体５７をバネホルダー５５に対して係脱操作することにより、刈り刃ハウジング２１に装着したり、刈り刃ハウジング２１から取り外したりできる。
【００３８】
草刈装置２０を取り外すときは、入力軸２２ａのスプライン嵌合部をベベルギヤ２２ｂの軸２２ｄから取り外すとともに、前揺動リンク１１と刈り草ハウジング２１の天板２１ａから立設している前連結部材２３とを連結している連結ピン４４、及び後揺動リンク１２の下部リンク１２ａと刈り草ハウジング２１の天板２１ａから立設している後連結部材２４とを連結している連結ピン４５を取り外し、ダクト上部構成体５２の天板５２ｃを押し下げた状態で、ロック金具６２をバネ受け体５７に係止する。この状態で草刈装置２０を引き出すことができる。
【００３９】
天板２１ａに開設した空気取り入れ口２１ｄは、草の丈や密度などの草の生え状態によって空気の吸入量を変えることが望ましい。これに対処するために、図７、図１０〜図１３に示すように、空気取り入れ口２１ｄの開度を調節する開度調節具３５を備えている。開度調節具３５は、空気取り入れ口２１ｄと同形の開口（連通孔５９）を備えた開度調節板３６と、これの開閉方向を定めるための案内孔３７と、操作部としての操作摘み３８と、螺子からなる固定金具３９と、を備えている。
【００４０】
固定金具３９のうちの一つは、ボルトとダブルナット３９ａで構成してあり、通常は、ナット３９ａを開度調節板３６から少し浮かした非固定状態に取り付けてある。固定金具３９の他のものは、ノブ付きボルト３９ｂで構成してあり、通常は２個のノブ付きボルト３９ｂを緩めて開度調節を行い調節後、ノブ付きボルト３９ｂを工具を用いずに手で締め付けて開度調節板３６を固定する。
ノブ付きボルト３９ｂを外してもダブルナット３９ａを備えているので、開度調節板３６は手では取り外せない。ノブ付きボルト３９ｂが一個外れて紛失してもダブルナット３９ａを利用すれば、開度調節板３６を安定した２箇所締めすることができる。
【００４１】
空気取り入れ口２１ｄの上方には透明樹脂製のカバー５８を備えており、このカバー５８に操作摘み３８を一体形成してある。カバー５８は、空気取り入れ口２１ｄへの空気の流入を妨げないように、開度調節板３６の上面とカバー５８の下面との間に１ｃｍ程の空間を開けた状態で、開度調節板３６から立設されている。
刈り刃ハウジング２１の天板２１ａには、複数の空気取り入れ口２１ｄを備え、天板２１ａから上方に間隔を隔てて複数の空気取り入れ口２１ｄを覆うカバー５８が位置することになるので、空気取り入れ口２１ｄから異物が浸入することを防止できるとともに、カバー５８で空気取り入れ口２１ｄからの空気の吸入を妨げることなく、十分な空気を吸入させることができる。
【００４２】
図１０は、刈り刃ハウジング２１の天板２１ａに形成した空気取り入れ口２１ｄと開度調節板３６に形成した連通孔５９とを一致させた全開状態を示す。この状態から開度を小さくする或いは図１３に示すように全閉状態にするには、ノブ付きボルト３９ｂを緩めて操作摘み３８を摘んで図１３のように開度調節板３６を移動させる。そして開度調節板３６を長孔３７の範囲で所望の位置に操作した所で、ノブ付きボルト３９ｂを手で締め付けて開度調節板３６を固定する。
【００４３】
このものには、空気取り入れ口２１ｄの開度を調節する開度調節具３５を備えているので、草の丈や生え密度等の状態に応じて空気取り入れ口２１ｄの開度を調節でき、好適な草刈り作業を行うことができる。
【００４４】
空気取り入れ口２１ｄは、刈り刃ハウジング２１の天板２１ａにおける上下向き軸芯（刈り刃２６の回転支軸２６ａ）を中心とした円周方向に形成され、開度調節具３５には、上下向き軸芯まわりに回転して空気取り入れ口２１ｄを閉状態から開状態に開度調節を行うための空気取り入れ口２１ｄと連通する連通孔５９を形成した開度調節板３６と、開度調節板３６を固定する固定金具３９と、開度調節板３６を操作する操作摘み３８を備えている。従って、操作摘み３８を操作することにより、開度調節板３６を上下向き軸芯まわりに回転させて、上下向き軸心を中心とした開度調節板３６の回転角度により連通孔５９と空気取り入れ口２１ｄとが連通する開口の大きさ（開度）を調節でき、簡単に開度を調節することができるようになっている。
【００４５】
前記カバー５８は、そのカバー面を開度調整板３６から間隔を隔てて連通孔５９の上方に配設した状態で開度調節板３６に取り付けてある。これにより、カバー５８が開度調節板３６と一体に動くので、カバー５８を開度調節板３６よりも大きなものに形成しなくても連通孔５９の上を覆うだけで、連通孔５９と連通する開口された空気取り入れ口２１ｄの上方を覆うことができ、カバー５８を小型化できる。
【００４６】
〔別実施形態〕
前記実施形態では刈り刃ハウジング２１内に刈り刃２６を２個設けた場合を示したが、刈り刃２６を１個または３個以上設けたものでもよい。
【産業上の利用可能性】
【００４７】
本発明は、ミッドマウント型の乗用型草刈機ばかりではなく、フロントマウント型の乗用型草刈機や歩行型の草刈機にも適用できる。
【符号の説明】
【００４８】
２１      刈り刃ハウジング
２１ａ    天板
２１ｄ    空気取り入れ口
２６      刈り刃
２９      刈り草排出口
３５      開度調節具
３６      開度調節板
３８      操作部
３９      固定金具
５８      カバー
５９      連通孔
【図１】
2010161972.tif 000003
【図２】
2010161972.tif 000004
【図３】
2010161972.tif 000005
【図４】
2010161972.tif 000006
【図５】
2010161972.tif 000007
【図６】
2010161972.tif 000008
【図７】
2010161972.tif 000009
【図８】
2010161972.tif 000010
【図９】
2010161972.tif 000011
【図１０】
2010161972.tif 000012
【図１１】
2010161972.tif 000013
【図１２】
2010161972.tif 000014
【図１３】
2010161972.tif 000015